(57)【要約】      （修正有）【課題】工場の部品、商品、食品等の小物、又は機械洗浄、車輌洗浄等の大物の品物の洗浄として利用される高温洗浄、又は高温処理等に発生する高温蒸気及び／又は汚染蒸気を、効率的に処理する高温蒸気の処理機を提供する。【解決手段】高温及び／又は汚染蒸気用の吸込口４を備えたケーシングの内壁面１ａに排気口２を、ケーシングの外壁面１ｂに排気孔３を開設し、ケーシングの内壁面内に、回転円板８と、ベルマウス９，２０、並びに羽根車２１を吸込み側から順次配設し、羽根車を、内壁面に配備した二枚の穴開き環状板２２で囲繞する構成とし、回転円板の吸込み側に、冷水管３２を配備する高温蒸気の処理機であり、高温及び／又は汚染蒸気を、降温・清浄化し、公害発生を回避し、工場・職場・生活環境維持、また商品・部品の劣化発生回避を図る。【選択図】図１
2008264645.tif 000002
【特許請求の範囲】
【請求項１】
高温及び／又は汚染蒸気を吸込む吸込口を前方に備えたケーシングの内壁面に排気口を、またこのケーシングの外壁面に排気孔を開設するとともに、この排気孔を、前記排気口より離間した位置に開設し、
このケーシングの内壁面内に、回転円板と、ベルマウス、並びに羽根車を吸込み側から順次配設するとともに、この羽根車を、前記内壁面に配備した一枚又は数枚の穴開き環状板で囲繞する構成とし、
前記回転円板、羽根車を、前記ケーシングの後方に配備した駆動部の回転軸に固止し、
さらに前記回転円板の吸込み側に、冷水管の先端開口を配備する構成とした高温蒸気の処理機。
【請求項２】
高温及び／又は汚染蒸気を吸込む吸込口を前方に備えたケーシングの内壁面に排気口を、またこのケーシングの外壁面に排気孔を開設するとともに、この排気孔を、前記排気口より離間した位置に開設し、
このケーシングの内壁面内を、第一処理室と、第二処理室に区画し、
この第一処理室に回転円板と、ベルマウスを吸込み側から順次配設し、
また第二処理室に羽根車を配備するとともに、この第二処理室に、少なくとも二枚の穴開き環状板を配備し、この環状板で前記羽根車を囲繞する構成とし、
前記回転円板、羽根車を、前記ケーシングの後方に配備した駆動部の回転軸に固止し、
さらに前記回転円板の吸込み側に、前記冷水管の先端開口を配備する構成とした高温蒸気の処理機。
【請求項３】
高温及び／又は汚染蒸気を吸込む吸込口を前方に備えたケーシングの内壁面に排気口を、またこのケーシングの外壁面に排気孔を開設するとともに、この排気孔を、前記排気口より離間した位置に開設し、
このケーシングの内壁面内を、第一処理室と、第二処理室に区画し、
この第一処理室に回転円板と、ベルマウス、並びにパンチング板を吸込み側から順次配設し、
また第二処理室に羽根車を配備するとともに、この第二処理室に、少なくとも二枚の穴開き環状板を配備し、この環状板で前記羽根車を囲繞する構成とし、
前記回転円板、パンチング板、並びに羽根車を、前記ケーシングの後方に配備した駆動部の回転軸に固止し、
さらに前記回転円板の吸込み側に、前記冷水管の先端開口を配備する構成とした高温蒸気の処理機。
【請求項４】
請求項１〜請求項３に記載の高温蒸気の処理機であって、
前記内壁面の下側に、冷水管を配備し、この冷水管の先端開口を、前記回転円板の吸込み側に開口する構成とした高温蒸気の処理機。
【請求項５】
請求項１〜請求項３に記載の高温蒸気の処理機であって、
前記内壁面の下側に、オイル、汚物等の異物抜きのドレン管を配備する構成とした高温蒸気の処理機。
【請求項６】
請求項１〜請求項３に記載の高温蒸気の処理機であって、
前記ケーシングの内壁面内を、第一処理室と、第二処理室に区画した区画板に、開口と、ベルマウスを配設し、このベルマウスの後方に、前記羽根車を配設する構成とした高温蒸気の処理機。
【請求項７】
請求項１〜請求項３に記載の高温蒸気の処理機であって、
前記穴開き環状板と、前記内壁面との間に、滞留空間部を環状に配設する構成とした高温蒸気の処理機。
【請求項８】
請求項１〜請求項３に記載の高温蒸気の処理機であって、
前記排気孔は、複数の細孔の集合体とし、排気口と、略同じ面積を確保する構成とした高温蒸気の処理機。
【請求項９】
請求項３に記載の高温蒸気の処理機であって、
前記パンチング板を、複数枚にする構成とした高温蒸気の処理機。
【発明の詳細な説明】
【技術分野】
【０００１】
本発明は、高温蒸気（常温蒸気を含む）の処理機に関し、例えば、工場の部品、商品、食品等の小物、又は機械洗浄、車輌洗浄等の大物の品物の洗浄として利用される高温洗浄、又は高温処理等に発生する高温蒸気及び／又は汚染蒸気を、効率的に処理する高温蒸気の処理機に関する。
【背景技術】
【０００２】
近時、公害と工場・生活環境維持、又は高温蒸気の有効利用の見地から、この種の高温蒸気及び／又は汚染蒸気を、効率的に処理する高温蒸気の処理機、及び／又はこれに関連する構造に関し、種々の工夫と、発明がされている。これに鑑み、本発明は、先行文献を基に、従来技術を、以下に説明する。
【０００３】
前記公害と工場・生活環境維持等に関するものとして、特開２０００−２０２２３０の「蒸気回収フード」がある（文献（１）とする）。この発明は、円錐形状のフード本体の外周面に、冷却水用の耐圧ホースを捲装し、またフード本体の上端部の外周面に電気ヒータを取付けた構造であり、フード本体で凝縮した蒸気を、電気ヒータを介して乾燥し、この乾燥空気を、フード本体に連設したダクトに吸込む構造とする。この構造により、ダクトのカビ、細菌の発生を防止することを特徴とする。また特開２００３−２３９７５９の「蒸気回収装置およびこれを備えてなるガスタービン装置」がある（文献（２）とする）。この発明は、過熱蒸気をガスタービンに動作流体の構成部材として供給する排熱回収用ボイラに供給される排熱回収用液を用いて、排熱回収用ボイラからの排出流体中の蒸気を飽和温度以下にする冷却手段と、冷却手段の下流側に位置し、この冷却手段により飽和温度以下にされる蒸気を回収する回収手段を備えた構成であり、この冷却手段には、水噴霧冷却装置、回収手段はファン、並びに衝突壁、アレスタを備えた構造としたガスタービンから排出蒸気を回収する蒸気回収装置である。従って、熱の廃棄及び／又は熱損失を抑えることで、熱効率の向上と、排熱回収用水の損失量を低減し、また排出流体から汚れ物質を除去し排出流体を浄化して環境に配慮したことを特徴とする。
【０００４】
次に、前述の公害と工場・生活環境維持等に関連する他の先行文献としては、例えば、特開平１０−３３７２５２号の「飲料供給装置における蒸気抜き構造」がある（文献（３）とする）。この発明は、自販機において、貯湯タンクに、蒸気抜き管と冷却パイプを順に連設し、この冷却パイプをファンで冷却する構造であり、冷却パイプで凝縮した結露温水を、貯湯タンクに戻して再利用するとともに、通気ダクトの内面等に発生した結露水を、機内の受け皿に滴下する構造である。従って、結露水が機内に滴下することを回避することを特徴とする。
【０００５】
【特許文献１】特開２０００−２０２２３０
【特許文献２】特開２００３−２３９７５９
【特許文献３】特開平１０−３３７２５２号
【発明の開示】
【発明が解決しようとする課題】
【０００６】
以上で開示した文献（１）〜文献（３）は、高温及び／又は汚染蒸気を、結露水とし、排出又は再利用を図ることを意図し、装置の一環に組込み設備する構造であり、この高温及び／又は汚染蒸気を、個別に処理し、例えば、公害発生や、工場・職場・生活環境を害することなく、又は商品・部品の劣化を発生することなく、大気中に霧散（拡散）することを意図した装置ではない。また装置の一環として組込まれる構造であることから、この高温及び／又は汚染蒸気を、処理し、大気中に拡散するには、構造的に十分とは考えられない。
【課題を解決するための手段】
【０００７】
請求項１の発明は、高温及び／又は汚染蒸気を、モータで駆動する回転円板、羽根車を介し、降温及び／又は清浄化し、例えば、公害発生や、工場・職場・生活環境を害することなく、又は商品・部品の劣化を発生することなく、霧散するか、又は大気中に霧散可能とすること、また、高温及び／又は汚染蒸気を、内外壁を備えたケーシングと、二回の回転手段を利用し、確実に、降温及び／又は清浄化し、同様に霧散するか、又は大気中に霧散可能とすること等を意図する。
【０００８】
請求項１は、高温及び／又は汚染蒸気を吸込む吸込口を前方に備えたケーシングの内壁面に排気口を、またこのケーシングの外壁面に排気孔を開設するとともに、この排気孔を、前記排気口より離間した位置に開設し、
このケーシングの内壁面内に、回転円板と、ベルマウス、並びに羽根車を吸込み側から順次配設するとともに、この羽根車を、前記内壁面に配備した一枚又は数枚の穴開き環状板で囲繞する構成とし、
前記回転円板、羽根車を、前記ケーシングの後方に配備した駆動部の回転軸に固止し、
さらに前記回転円板の吸込み側に、冷水管の先端開口を配備する構成とした高温蒸気の処理機である。
【０００９】
請求項２の発明は、高温及び／又は汚染蒸気を、モータで駆動する回転円板、羽根車を介し、降温及び／又は清浄化（オイルレス化）し、例えば、公害発生や、工場・職場・生活環境を害することなく、又は商品・部品の劣化を発生することなく、霧散するか、又は大気中に霧散可能とすること、また、高温及び／又は汚染蒸気を、内外壁を備えたケーシングと、二回の回転手段を利用し、確実に、降温及び／又は清浄化（オイルレス化）し、同様に霧散するか、又は大気中に霧散可能とすること等を意図する。
【００１０】
請求項２は、高温及び／又は汚染蒸気を吸込む吸込口を前方に備えたケーシングの内壁面に排気口を、またこのケーシングの外周壁面に排気孔を開設するとともに、この排気孔を、前記排気口より離間した位置に開設し、
このケーシングの内壁面内を、第一処理室と、第二処理室に区画し、
この第一処理室に回転円板と、ベルマウスを吸込み側から順次配設し、
また第二処理室に羽根車を配備するとともに、この第二処理室に、少なくとも二枚の穴開き環状板を配備し、この環状板で前記羽根車を囲繞する構成とし、
前記回転円板、羽根車を、前記ケーシングの後方に配備した駆動部の回転軸に固止し、
さらに前記回転円板の吸込み側に、前記冷水管の先端開口を配備する構成とした高温蒸気の処理機である。
【００１１】
請求項３の発明は、高温及び／又は汚染蒸気を、モータで駆動する回転円板、羽根車を介し、降温及び／又は清浄化（略１００％オイルレス化）し、例えば、公害発生や、工場・職場・生活環境を害することなく、又は商品・部品の劣化を発生することなく、霧散するか、又は大気中に霧散可能とすること、また、高温及び／又は汚染蒸気を、内外壁を備えたケーシングと、二回の回転手段を利用し、確実に、降温及び／又は清浄化（略１００％オイルレス化）し、同様に霧散するか、又は大気中に霧散可能とすること等を意図する。
【００１２】
請求項３は、高温及び／又は汚染蒸気を吸込む吸込口を前方に備えたケーシングの内壁面に排気口を、またこのケーシングの外壁面に排気孔を開設するとともに、この排気孔を、前記排気口より離間した位置に開設し、
このケーシングの内壁面内を、第一処理室と、第二処理室に区画し、
この第一処理室に回転円板と、ベルマウス、並びにパンチング板を吸込み側から順次配設し、
また第二処理室に羽根車を配備するとともに、この第二処理室に、少なくとも二枚の穴開き環状板を配備し、この環状板で前記羽根車を囲繞する構成とし、
前記回転円板、パンチング板、並びに羽根車を、前記ケーシングの後方に配備した駆動部の回転軸に固止し、
さらに前記回転円板の吸込み側に、前記冷水管の先端開口を配備する構成とした高温蒸気の処理機である。
【００１３】
請求項４の発明は、請求項１〜請求項３の目的の達成と、また高温及び／又は汚染蒸気の確実な供給と、その霧散化を可能とすることを意図する。
【００１４】
請求項４は、請求項１〜請求項３に記載の高温蒸気の処理機であって、
前記内壁面の下側に、冷水管を配備し、この冷水管の先端開口を、前記回転円板の吸込み側に開口する構成とした高温蒸気の処理機である。
【００１５】
請求項５の発明は、請求項１〜請求項３の目的の達成と、また高温及び／又は汚染蒸気に含有する異物を確実に、装置外に排出することを意図する。
【００１６】
請求項５は、請求項１〜請求項３に記載の高温蒸気の処理機であって、
前記内壁面の下側に、オイル、汚物等の異物抜きのドレン管を配備する構成とした高温蒸気の処理機である。
【００１７】
請求項６の発明は、請求項１〜請求項３の目的の達成と、また第一処理した高温及び／又は汚染蒸気を、確実に第二処理室に供給し、この第二処理室を介して、霧散化することを意図する。
【００１８】
請求項６は、請求項１〜請求項３に記載の高温蒸気の処理機であって、
前記ケーシングの内壁面内を、第一処理室と、第二処理室に区画した区画板に、開口と、ベルマウスを配設し、このベルマウスの後方に、前記羽根車を配設する構成とした高温蒸気の処理機である。
【００１９】
請求項７の発明は、請求項１〜請求項３の目的の達成と、また第二処理した高温及び／又は汚染蒸気の滞留時間を確保し、確実な降温と、無臭化、又は霧散化することを意図する。
【００２０】
請求項７は、請求項１〜請求項３に記載の高温蒸気の処理機であって、
前記穴開き環状板と、前記内壁面との間に、滞留空間部を環状に配設する構成とした高温蒸気の処理機である。
【００２１】
請求項８の発明は、請求項１〜請求項３の目的の達成と、また処理済みの高温及び／又は汚染蒸気の確実な、排気と、装置の小型化と、吸込み量の確保を図ることを意図する。
【００２２】
請求項８は、請求項１〜請求項３に記載の高温蒸気の処理機であって、
前記排気孔は、複数の細孔の集合体とし、排気口と、略同じ面積を確保する構成とした高温蒸気の処理機である。
【００２３】
請求項９の発明は、請求項３の目的の達成と、また高温及び／又は汚染蒸気を、複数枚のパンチング板を介して、速やかに霧散化することを意図する。
【００２４】
請求項９は、請求項３に記載の高温蒸気の処理機であって、
前記パンチング板を、複数枚にする構成とした高温蒸気の処理機である。
【発明の効果】
【００２５】
請求項１の発明は、高温及び／又は汚染蒸気を吸込む吸込口を前方に備えたケーシングの内壁面に排気口を、またケーシングの外壁面に排気孔を開設するとともに、排気孔を、排気口より離間した位置に開設し、
ケーシングの内壁面内に、回転円板と、ベルマウス、並びに羽根車を吸込み側から順次配設するとともに、羽根車を、内壁面に配備した一枚又は数枚の穴開き環状板で囲繞する構成とし、
回転円板、羽根車を、ケーシングの後方に配備した駆動部の回転軸に固止し、
さらに回転円板の吸込み側に、冷水管の先端開口を配備する構成とした高温蒸気の処理機である。
【００２６】
従って、請求項１の発明は、高温及び／又は汚染蒸気を、モータで駆動する回転円板、羽根車を介し、降温及び／又は清浄化し、例えば、公害発生や、工場・職場・生活環境を害することなく、又は商品・部品の劣化を発生することなく、霧散するか、又は大気中への霧散が可能となること、また、高温及び／又は汚染蒸気を、内外壁を備えたケーシングと、二回の回転手段を利用し、確実に、降温及び／又は清浄化し、同様に霧散するか、又は大気中への霧散が可能となること等の特徴を有する。
【００２７】
請求項２の発明は、高温及び／又は汚染蒸気を吸込む吸込口を前方に備えたケーシングの内壁面に排気口を、またケーシングの外壁面に排気孔を開設するとともに、排気孔を、排気口より離間した位置に開設し、
ケーシングの内壁面内を、第一処理室と、第二処理室に区画し、
第一処理室に回転円板と、ベルマウスを吸込み側から順次配設し、
また第二処理室に羽根車を配備するとともに、第二処理室に、少なくとも二枚の穴開き環状板を配備し、環状板で前記羽根車を囲繞する構成とし、
回転円板、羽根車を、ケーシングの後方に配備した駆動部の回転軸に固止し、
さらに回転円板の吸込み側に、冷水管の先端開口を配備する構成とした高温蒸気の処理機である。
【００２８】
従って、請求項２は、高温及び／又は汚染蒸気を、モータで駆動する回転円板、羽根車を介し、降温及び／又は清浄化（オイルレス化）し、例えば、公害発生とか、工場・職場・生活環境を害することなく、又は商品・部品の劣化を発生することなく、霧散するか、又は大気中への霧散が可能となること、また、高温及び／又は汚染蒸気を、内外壁を備えたケーシングと、二回の回転手段を利用し、確実に、降温及び／又は清浄化（オイルレス化）し、同様に霧散するか、又は大気中への霧散が可能となること等の特徴を有する。
【００２９】
請求項３の発明は、高温及び／又は汚染蒸気を吸込む吸込口を前方に備えたケーシングの内壁面に排気口を、またケーシングの外壁面に排気孔を開設するとともに、排気孔を、排気口より離間した位置に開設し、
ケーシングの内壁面内を、第一処理室と、第二処理室に区画し、
第一処理室に回転円板と、ベルマウス、並びにパンチング板を吸込み側から順次配設し、
また第二処理室に羽根車を配備するとともに、第二処理室に、少なくとも二枚の穴開き環状板を配備し、環状板で羽根車を囲繞する構成とし、
回転円板、パンチング板、並びに羽根車を、ケーシングの後方に配備した駆動部の回転軸に固止し、
さらに回転円板の吸込み側に、冷水管の先端開口を配備する構成とした高温蒸気の処理機である。
【００３０】
従って、請求項３は、高温及び／又は汚染蒸気を、モータで駆動する回転円板、羽根車を介し、降温及び／又は清浄化（略１００％オイルレス化）し、例えば、公害発生や、工場・職場・生活環境を害することなく、又は商品・部品の劣化を発生することなく、霧散するか、又は大気中への霧散が可能となること、また、高温及び／又は汚染蒸気を、内外壁を備えたケーシングと、二回の回転手段を利用し、確実に、降温及び／又は清浄化（略１００％オイルレス化）し、同様に霧散するか、又は大気中への霧散が可能となること等の特徴を有する。
【００３１】
請求項４の発明は、請求項１〜請求項３に記載の高温蒸気の処理機であって、
内壁面の下側に、冷水管を配備し、冷水管の先端開口を、回転円板の吸込み側に開口する構成とした高温蒸気の処理機である。
【００３２】
従って、請求項４は、請求項１〜請求項３の目的の達成と、また高温及び／又は汚染蒸気の確実な供給と、その霧散化が可能となること等の特徴を有する。
【００３３】
請求項５の発明は、請求項１〜請求項３に記載の高温蒸気の処理機であって、
内壁面の下側に、オイル、汚物等の異物抜きのドレン管を配備する構成とした高温蒸気の処理機である。
【００３４】
従って、請求項５は、請求項１〜請求項３の目的の達成と、また高温及び／又は汚染蒸気に含有する異物を確実に、装置外への排出が可能となること等の特徴を有する。
【００３５】
請求項６の発明は、請求項１〜請求項３に記載の高温蒸気の処理機であって、
ケーシングの内壁面内を、第一処理室と、第二処理室に区画した区画板に、開口と、ベルマウスを配設し、ベルマウスの後方に、羽根車を配設する構成とした高温蒸気の処理機である。
【００３６】
従って、請求項６は、請求項１〜請求項３の目的の達成と、また第一処理した高温及び／又は汚染蒸気を、確実に第二処理室に供給し、この第二処理室を介して、霧散化が可能となること等の特徴を有する。
【００３７】
請求項７の発明は、請求項１〜請求項３に記載の高温蒸気の処理機であって、
穴開き環状板と、内壁面との間に、滞留空間部を環状に配設する構成とした高温蒸気の処理機である。
【００３８】
従って、請求項７は、請求項１〜請求項３の目的の達成と、また第二処理した高温及び／又は汚染蒸気の滞留時間を確保し、確実な降温と、無臭化、又は霧散化が図れること等の特徴を有する。
【００３９】
請求項８の発明は、請求項１〜請求項３に記載の高温蒸気の処理機であって、
排気孔は、複数の細孔の集合体とし、排気口と、略同じ面積を確保する構成とした高温蒸気の処理機である。
【００４０】
従って、請求項８は、請求項１〜請求項３の目的の達成と、また処理済みの高温及び／又は汚染蒸気の確実な排気と、装置の小型化と、吸込み量の確保が図れること等の特徴を有する。
【００４１】
請求項９の発明は、請求項３に記載の高温蒸気の処理機であって、
パンチング板を、複数枚にする構成とした高温蒸気の処理機である。
【００４２】
従って、請求項９は、請求項３の目的の達成と、また高温及び／又は汚染蒸気を、複数枚のパンチング板を介して、速やかに霧散化できること等の特徴を有する。
【発明を実施するための最良の形態】
【００４３】
以下、本発明の実施の態様（形態）を説明する。
【００４４】
図面の説明をすると、図１は全体の断面図、図２は平面図、図３は背面図である。
【００４５】
図中１はケーシングで、このケーシング１は、環状（角筒、多角筒も可能である）の二重構造とし、その内壁面１ａに排気口２を、またその外壁面１ｂの吸込み側１−１（前方）に排気孔３を開設する。さらに、このケーシング１の吸込み側１−２（前方）には、高温及び／又は汚染蒸気を吸込む吸込口４を開設する。尚、前記排気口２と、排気孔３の関係を説明すると、この排気口２からは、後述する機構を介して処理され、処理済みの常温で、かつ霧散化された蒸気が排気されるが、この常温で、かつ霧散化された蒸気をストレートに、大気中に霧散することなく、さらに略完全に処理するために、この内壁面１ａと外壁面１ｂとで滞留空間部６を形成し、処理済みの常温で、かつ霧散化された蒸気に、周回方向の動きを付与する。この一例では、排気口２の直上に排気孔３を開設せず、図２で示すように、位相をずらすようにして開設する。しかし、この位相をずらす手段は一例であり、内壁面１ａと外壁面１ｂとの間に、間仕切りや、迂回路、又はパンチング板（メッシュ板）等の迂回手段を、配備（配設）することも可能である。図示の例では、ケーシング１を、環状とすることで、後述する機構の収まりがよく、製造が容易であり、又は効率的な処理が可能となり重宝する。そして、この排気孔３は、細孔を複数個とし、図２に示した配置構造が望ましい。
【００４６】
そして、このケーシング１の内壁面１ａ内を、第一処理室１００と、第二処理室１０１に支持部材１１の一部を構成する区画板１２で区画し、この第一処理室１００に回転円板８と、ベルマウス９、並びにパンチング板１０（メッシュ板）を吸込み側１−２から順次配設する。この配置は、図１の断面図で示されており、ベルマウス９、並びにパンチング板１０は、支持部材１１を介して、この内壁面１ａに固止されている。尚、回転円板８は、後述するモータの出力軸に固止されている。また図示しないが、ベルマウス９、並びにパンチング板１０を回転し、効率的な霧化と、異物分離を図ることも可能である。またパンチング板１０の枚数は、任意である。
【００４７】
また第二処理室１０１にベルマウス２０（通路部材）と、羽根車２１を配備するとともに、この第二処理室１０１に、一枚、又は数枚の穴開き環状板２２（パンチング板、メッシュ板）を配備し、この環状板２２で羽根車２１を囲繞する。そして、第一処理室１００と第二処理室１０１とは、ベルマウス２０を介して連通する構造であり、第一処理室１００で処理した高温及び／又は汚染蒸気（一次処理した高温及び／又は汚染蒸気）を、確実に第二処理室１０１に送込む構造とする。この第二処理室１０１では、羽根車２１を介して、一次処理した高温及び／又は汚染蒸気を拡散し、環状板２２に衝止させることで、一層の霧化を図る。従って、この羽根車２１と環状板２２との間には、僅かな隙間を有する。またこの環状板２２を複数枚とし、この複数枚の環状板２２間に隙間を形成する。
【００４８】
以上で説明した回転円板８、羽根車２１は、ケーシング１の排出側１−１に設けたモータ３０の出力軸３１に固止されており、この出力軸３１の回転で、回転する構造である。
【００４９】
また冷水管３２は、前記滞留空間部６を利用して配備され、回転円板８の中心部に開口３２０する構造であり、吸込口４より吸込まれた高温及び／又は汚染蒸気に直接噴霧又は噴射される構造である。この噴射された高温及び／又は汚染蒸気は、回転円板８の高速回転で、拡散されて、羽根車２１の吸込み力で誘導されるが、具体的には、この回転円板８の周辺端円部を経由し、この周辺端円部より、ベルマウス９に向って移送される。
【００５０】
図中３５はモータ架台、３６はドレン管、１０２はケーシング１の底板をそれぞれ示している。
【００５１】
尚、図中に示した矢印「イ」〜「へ」は、各状態の蒸気の流れを示しており、「イ」は、吸込んだ高温及び／又は汚染蒸気を、「ロ」は、ベルマウス９を流れる第一処理した高温及び／又は汚染蒸気を、「ハ」は、ベルマウス２０を流れる第一処理した後の高温及び／又は汚染蒸気を、「ニ」は、第二処理した後の高温及び／又は汚染蒸気を、羽根車２１を介して拡散した状態を、さらに「ホ」は、第二処理した高温及び／又は汚染蒸気を、「へ」は、最終処理した常温の霧化蒸気を排出する状態を、それぞれ示している。
【図面の簡単な説明】
【００５２】
【図１】図１は全体の断面図
【図２】図２は平面図
【図３】図３は背面図
【符号の説明】
【００５３】
１              ケーシング
１ａ            内壁面
１ｂ            外壁面
１−１          排出側
１−２          吸込み側
１００          第一処理室
１０１          第二処理室
１０２          底板
２              排気口
３              排気孔
４              吸込口
６              滞留空間部
８              回転円板
９              ベルマウス
１０            パンチング板
１１            支持部材
１２            区画板
２０            ベルマウス
２１            羽根車
２２            環状板
３０            モータ
３１            出力軸
３２            冷水管
３２０          開口
３５            モータ架台
３６            ドレン管
【図１】
2008264645.tif 000003
【図２】
2008264645.tif 000004
【図３】
2008264645.tif 000005